Podtech/llm-jp-corpus-v4-ja_patent huggingface dataset:
(57)【要約】【課題】  シャフトを重力と永久磁石の磁力で永続的に回転させる事である。【解決手段】  先端に重りと永久磁石を装着したシャフト２本を回転軸を挟んで一直線になるように回転軸に固定する。一方のシャフトの先端が最上部より落下し始め落下重力で回転軸を廻し始めるともう一方のシャフトの先端は最下部より回転軸の回転力を得て上昇回転する。その際上昇シャフトにかかる落下重力による反回転力を軽減する為に左右２列に磁力線を回転方向にし、向い合せに設置した永久磁石の間をシャフトの先端の磁石が通過するようにする。これにより左右２列の磁石に挟まれたシャフトの磁石が左右の磁石と回転方向に反発しながら反回転力を減少させ回転する。これにより重力による回転力が反回転力を上回るのでシャフトは永続的に回転する。【選択図】図１
2013215076.tif 000002
【特許請求の範囲】
【請求項１】
この機関はシャフトを一定の間隔をあけて設置し、重力と永久磁石の磁力を活用し、シャフトを永続的に回転させることを目的とする。永久磁石の反発が十分活用できるようにシャフトの先端部に永久磁石と落下重力が得られるように重りを装着する。このシャフト２本を直線になるように回転軸に固定し一対のシャフトとする。一方のシャフトの先端が最上部より落下し重力による回転力を得て回転軸を廻す。もう一方のシャフトの先端は最下部より回転軸の回転力を得て上方に回転する。その際反円形状左右２列に向い合せに設置した永久磁石の間をシャフトの先端が通過するようにする。するとシャフトの先端の磁石は両側の磁石と回転方向に反発しながら２列の磁石の間を通過しシャフトは回転する。この回転方向への反発力によりシャフトが上方に回転する際に生ずる重力による反回転力を減少させる。この事により重力で得た回転力が反回転力を上回るので最下部にあったシャフトの先端は最上部まで回転し落下し始める。この運動が永続的に行われるのでシャフトは永続的に回転し続ける。このようにして得られる回転力はシャフトを長くし、重りを重くし、シャフトの本数を増やすことで更にその力を増大させることができる。
【請求項２】
半円形状の磁石を上下２段向い合せに設置しその間をシャフトの先端の磁石が通過するようにする。
【請求項３】
半円形状の磁石左右２列と上段一列、または下段一列の組み合わせで磁石を設置しその間をシャフトの磁石が通過するようにする。左右磁石と下段磁石との組み合わせの場合は下段の磁石は２列にし、その間をシャフトが通過するようにする。
【請求項４】
半円形状の磁石を上下左右に設置しシャフトの磁石を四方向から反発させる。これによりかなりの重量の重りを反発させることができる。この際下段の磁石は２列としてその間をシャフトが通るようにする。
【発明の詳細な説明】
【技術分野】
【０００１】  本発明は永久回転運動機関に関するものである
【発明の概要】
【発明が解決しようとする課題】
【０００２】  解決しようとする問題点は持続的な回転を保つために回転を妨げる反回転力に対しいかにその反回転力を上回る回転力を増大させるかにある。
【課題を解決するための手段】
【０００３】    回転力を増大させるには最下部より上昇回転するシャフトの重りの落下重力を極力減少させなければならない。そこで半円形状の設置磁石とシャフト先端の装着磁石とが強く回転方向に反発するように磁力線の強さ方向、装着磁石の形状を最良のものにする。次に装着磁石と設置磁石との間隔をできるだけ狭めて磁力の反発を強める。このようにして落下重力を減少させ回転力を増大させる。
【発明の効果】
【０００４】  本発明の永久回転機関は回転エネルギーをシャフトを可能な限り長くし、重力及びシャフトの本数を増やすことにより増大させることができる。又回転軸に並列にいくつかこの機関を増すことによりかなりのエネルギーが得られるものである。
【図面の簡単な説明】
【０００５】
【図１】は２本のシャフトを使用した場合、回転しているシャフトを停止させ、正面から見たシャフトの位置と半円形状の磁石の位置との関連を説明した図である。
【発明を実施するための形態】
【０００６】  先端に重りと永久磁石を装着した２本のシャフトを使用した場合、シャフトが回転軸を挟んで一直線になるように回転軸に固定する。シャフトの磁石が回転方向に反発するように左右２列の永久磁石を向い合せに設置し、その間をシャフトの磁石が通過するようにする。一方のシャフトの先端が最上部より落下し始め、重力により回転軸を廻すとその回転力を得て他方のシャフトも回転、上昇する。この時上昇するシャフトの装着磁石と設置磁石が回転方向に反発し反回転力を減少させる。これにより回転力が反回転力を上回りシャフトは永続的に回転する。
【産業上の利用可能性】
【０００７】  本発明の運動機関はクリーンで安全なエネルギーを生み出すので電力源として利用可能である。
【符号の説明】
【０００８】１  シャフト
２  シャフトの磁石と重り
３  回転軸
４  半円形状の磁石
【図１】
2013215076.tif 000003
(57)【要約】【課題】  ティッシュを利用することで、グラスから垂れ落ちた水滴を吸収し、ティッシュを取り替えて何度でも使用可能であるティッシュ利用のコースターを提供する。【解決手段】  下板（３）と、中央にグラスの底面より大きな穴を設けた上板（１）との間に、ティッシュ（２）を挟んで一体とした構造を有し、上板（１）及び下板（３）は磁性体を吸引する性質の素材であり、少なくとも一つは磁性を帯びていて、上板（１）と下板（３）の間に働く磁力によってティッシュ（２）を挟むことを特徴とする。【選択図】図１
2013215318.tif 000002
【特許請求の範囲】
【請求項１】
下板（３）と、中央にグラスの底面より大きな穴を設けた上板（１）との間に、ティッシュ（２）を挟んで一体としたコースターであり、上板（１）及び下板（３）は磁性体を吸引する性質の素材であり、少なくとも一つは磁性を帯びていることを特徴とするティッシュ利用のコースター。
【発明の詳細な説明】
【技術分野】
【０００１】
本発明は、ティッシュペーパーを利用するティッシュ利用のコースターに関するものである。
【背景技術】
【０００２】
一般に、冷えた飲み物をグラスに入れて提供する場合、グラスに付着した水滴がテーブルに垂れるのを防ぐ為にコースターが使われている。
【先行技術文献】
【特許文献】
【０００３】
【特許文献１】実登３１５２６９３
【発明の概要】
【発明が解決しようとする課題】
【０００４】
現在市販されているコースターには、紙製品とそうでないものに大別できるが、紙製のものは使い捨てであり、再利用するには衛生的ではない。また、非紙製のものでは、グラスから垂れ落ちた水滴がコースターの上に溜まってしまい、グラスを手に取った際に、グラスの底に付いた水滴で衣服やテーブルを濡らしてしまうことがある。
本発明は、以上の問題を解決するためになされたものである。
【課題を解決するための手段】
【０００５】
下板（３）と、中央にグラスの底面より大きな穴を設けた上板（１）との間に、ティッシュ（２）を挟んで一体とした構造を特徴とする。上板（１）及び下板（３）は磁性体を吸引する性質の素材であり、少なくとも一つは磁性を帯びている。
以上の構造を有することで、上板（１）と下板（３）の間に働く磁力によってティッシュ（２）を挟むことが可能となり、コースターとして機能する。
【発明の効果】
【０００６】
グラスから垂れ落ちた水滴はティッシュに吸収されコースターの上に溜まることはない。したがって、グラスを手に取った際にも、グラスの底に付いた水滴で衣服やテーブルを濡らしてしまうことがない。また、ティッシュを取り替えて、何度でも使えるので経済的である。
【図面の簡単な説明】
【０００７】
【図１】本発明の構成を示す斜視図である。
【発明を実施するための形態】
【０００８】
以下、本発明を実施するための形態について説明する。
本発明のティッシュ利用のコースターは、下板（３）と、中央にグラスの底面より大きな穴を設けた上板（１）との間に、ティッシュ（２）を挟んで一体とした構造を特徴とする。上板（１）及び下板（３）は磁性体を吸引する性質の素材であり、少なくとも一つは磁性を帯びている。具体的には、例えば上板（１）及び下板（３）の素材をマグネットシートにすることが考えられる。または、上板（１）をマグネット、下板（３）の表面に鉄などのコーティングを施すことなども考えられる。
以上の構造を有することで、上板（１）と下板（３）の間に働く磁力によってティッシュ（２）を挟むことが可能となり、コースターとして機能する。
使用方法は、下板（３）の上に適当な大きさに折り畳んだティッシュ（２）を置き、上板（１）をティッシュ（２）の上に重ねて使用する。使い終ったティッシュ（２）は新しいものと取替え、何度でも使用することができて経済的である。
【符号の説明】
【０００９】
１  上板
２  ティッシュ
３  下板
【図１】
2013215318.tif 000003
(57)【要約】【課題】手袋を持ち運ぶ際の紛失防止と装着時の器物落下を防止しするものである。 【解決手段】平ベルト部(4)の両端へ面ファスナー部（3）を設け、その平ベルト部（4）を折返し、 両端をそろえ結着部（2）を設け、これへ吊り具部（1）を取り付けた事を特徴とする。 【選択図】図３
2013119678.tif 000002
【特許請求の範囲】
【請求項１】
平ベルト部(4)の両端へ面ファスナー部（3）を設け、その平ベルト部（4）を
折返し、両端をそろえ結着部（2）を設け、これへ吊り具部（1）を取り付けた事を
特徴とする手袋の紛失防止、保持・携帯具。
【請求項２】
両面ファスナーベルト部(4)を折返し、両端をそろえ結着部（2）を設け、これへ
吊り具部（1）を取り付けた事を特徴とする手袋の紛失防止、保持・携帯具。
【発明の詳細な説明】
【技術分野】
【０００１】
本発明は、手袋を持ち運ぶ際の紛失防止と装着時の簡便性・安全性を
確保するものである。 
【背景技術】
【０００２】
これまでは手袋を道具袋や腰袋から取り出す際に、袋内の物も一緒に
落下して、高所作業等においては危険があった。
またホルダーや袋・ポケットへ手袋を入れ、携帯中に紛失してしまうという
欠点があった。
【０００３】
そして手袋を一時的に外し、保管する際、ポケット等ではポケット内の
他の物が落下する問題があった。
さらに手袋保持部の破損により、手袋を紛失してしまうこという欠点があった。
【（非）特許文献ｎ】
【０００４】
【発明の概要】
【発明が解決しようとする課題】
【０００５】
解決しようとする問題点は、以下のような欠点である。
イ：手袋を道具袋や腰袋から取り出す際に、袋内の物も一緒に落下して、
高所作業等においては危険があった。
ロ：ホルダーや袋・ポケットへ手袋を入れ、携帯中に紛失してしまう事。
ハ：手袋を一時的に外し、保管する際、ポケット等ではポケット内の他の物が落下する問題。
ニ：手袋保持部の破損により、手袋を紛失してしまうこと。
本発明は、以上のような欠点を解決する為になされたものである。
【課題を解決するための手段】
【０００６】
平ベルト部(4)の両端へ面ファスナー部（3）を設ける。そして平ベルト部（4）を折返し、
両端をそろえ結着部（2）を設け、これへ吊り具部（1）を取り付ける。
本品は以上の構成よりなる手袋保持・保管具である。
【発明の効果】
【０００７】
本発明を使用する事によって、確実、安全に手袋を保持・携帯することが出来、
今まで高所作業等において問題となっていた手袋の収納、取出し時の部品、道具落下
問題の解決する。さらに、軽量、簡便な構造の為、どこへでも装着可能な事により
諸作業の効率化に役立つ。
また、面ファスナーが手袋各双2面、計4面にて手袋を保持する為、既存のクリップ式や
ループ式フォルダーに比べ確実に手袋を保持する。
【図面の簡単な説明】
【０００８】
【図１】図１は本発明の斜視図である。
【図２】図２は本発明の分解斜視図である。
【図３】図３は本発明の斜視図である。
【図４】図４は本発明の分解斜視図である。
【図５】図５は本発明の使用状態を表す斜視図である。
【発明を実施するための形態】
【０００９】
以下、本発明の実施の形態を説明する。 
イ：平ベルト(1）の両端・両側へ面ファスナー部（3）を設ける。 
ロ：平ベルト(4)の両端をそろえ折返し、吊り具部（1）を折返し部へ設ける。 
ハ：平ベルト(4)を結着(2)する。 
本発明は、以上の構成より成っている。 
本品を使用する際は面ファスナー部(3)へ手袋各双の面ファスナー部を結着させ、
吊り具部（1)を着衣のベルトやベルト通し又は道具袋等へ装着して使用する。 
手袋既存の面ファスナーを使用する事と本発明に樹脂部品等は使用していないため
衝撃による吊り具部（1)の破損やこれに伴い手袋が落下する事はない。 
【産業上の利用可能性】
【００１０】
手袋既存の面ファスナーを使用する事と本発明に樹脂部品等は使用していないため
衝撃による吊り具部（1)の破損やこれに伴い手袋が落下する事が無いため落下防止対策を
必要とする場面等において も適用できる。
【符号の説明】
【００１１】
１          吊り具部 
２          結着部 
３          面ファスナー部 
４          平ベルト部 
【図１】
2013119678.tif 000003
【図２】
2013119678.tif 000004
【図３】
2013119678.tif 000005
【図４】
2013119678.tif 000006
【図５】
2013119678.tif 000007
(57)【要約】【課題】  ルアーによる釣りは、リールを使用し、ラインを巻き上げ、ルアーを水平方向に移動させ、水の抵抗を利用し、ルアーをアクションさせて、魚を誘う釣りである。本発明は、渓流のエサ釣りやテンカラ釣りで用いる、サオとラインだけの仕掛けで、リールを使用しなくても、ルアーをアクションさせ、釣りが出来るようにするものである。【解決手段】  サオのわずかな操作でも、動かせるような、釣り針と一体の小さなルアーにする。ルアー本体を、縦方向及び横方向に、曲げた形状にした。これにより、サオを上下に動かし続けると、ルアーに、連続する回転する力が生まれる。上下の動きに円運動が加わることで、一定の場所を上下左右と動きまわる。体を揺すって泳いだり、水中でもがく虫のような、魚に強くアピールする動きを、容易に、サオの上下の操作だけで、ルアーに、だすことができる。ルアーを渓流釣りのエサで使う、ブドウ虫やトビゲラ等の昆虫の姿に模せばさらにリアルになる。【選択図】図４
2013252122.tif 000002
【特許請求の範囲】
【請求項１】
釣り針と一体になったルアーで、縦方向及び横方向に、曲げた形状のルアー
【請求項２】
外形を渓流釣りのエサで使う昆虫の姿に模した、請求項１のルアー
【請求項３】
ルアーの下部に、フライフィッシングの、フライを巻く材料で、昆虫の、足、エラ、尾、等を模したものを造り、取り付けた、請求項２のルアー
【請求項４】
釣り針と一体になったルアーで、横方向に曲げた形状のルアー
【請求項５】
釣り針と一体になったルアーで、縦方向に曲げた形状のルアー
【発明の詳細な説明】
【技術分野】
【０００１】  本発明は、サオの操作により、動かすことのできる、ルアーに関するものである。
【背景技術】
【０００２】  ルアーフィッシングは、リールを使用し、ラインを巻き上げることにより、ルアーを水平方向に移動させ、水の抵抗を利用し、ルアーにアクションさせ、魚を誘う釣りである。このため、ルアーの構造、形状も、水中を水平方向に動かすことにより、いろいろな動きがだせるように、デザイン、製作されている。ルアーを動かすためには、リール及び長いラインが必要である。
【発明の概要】
【発明が解決しようとする課題】
【０００３】  本考案は、渓流釣りのエサ釣りやテンカラ釣りで用いる、サオとラインだけの仕掛けでリールを使用せずとも、ルアーにアクションさせ、釣りが出来るようにするものである。
【課題を解決するための手段】
【０００４】  サオのわずかな操作でも、動かせるように、釣り針と一体の、小さなルアーにする。
浮かぶ状態のルアーには、水中に沈むように、重りを取り付ける。
サオの上下操作で、ルアーに、動きが生じるように、ルアー本体を曲げるようにつくる。縦方向に曲げた形状のルアーは、サオを引き上げれば、ルアーは、円弧を描くように動く。また横方向に曲げた形状のルアーは、サオを上下に操作し、ルアーを上下に動かせば、ルアーに水平方向の円運動が生じるようになる。このようなことで、ルアーを縦方向及び横方向に曲げた形状にすれば、、サオを上下に操作をすると、ルアーに、上下の動きに水平方向の円運動が加わり、大きなアクションをするようになる。ルアー本体を、渓流釣りのエサで使われる、ブドウ虫やトビゲラ等の陸生及び水生昆虫の姿に模した。
【発明の効果】
【０００５】  ルアーを水面に投げ込むと、自重により、ルアーは、ラセン状に回転しながら沈下していき、魚の興味を引くような動きをする。サオを上下に動かし続けると、ルアーに、連続する回転する力が生まれる。上下の動きに円運動が加わることで、一定の場所を、上下左右と動きまわり、体を揺すって泳いだり、水中をもがく虫のような、魚にアピールする動きを、容易に、サオの上下の操作だけで、ルアーに、だすことができる。ルアーを、ブドウ虫やトビゲラ等の、陸生及び水生昆虫の姿に模せば、動きとリアルな姿で、魚に、さらに強くアピールし、誘うことができる。ルアーを水平方向に移動させなくとも、ルアーを動かし続けることができるので、魚のいるポイントにしぼった釣りができる。
【発明を実施するための最良の形態】
【０００６】  サオのわずかな操作でも、動かせるように、釣り針と一体の、小さなルアーにする。
サオの上下操作で、ルアーに、動きが生じるように、ルアー本体を曲げるようにつくる。図１のように、縦方向に曲げた形状のルアーは、サオを上方に引き上げれば、ルアーは、円弧を描くように動く。図２のように、ルアーの横方向に曲げた形状は、ルアーを上下に動かせば、水平方向に、円運動が生じるようになる。このようなことで、ルアーを縦方向及び横方向に曲げた形状にすれば、、サオを上下に操作をすると、ルアーに、上下の動きに水平方向の円運動が加わり、大きなアクションをするようになる。【０００７】  釣り針（フック）は、渓流釣り用、ルアー用、フライ用等のどれでも良い。重りは、製作に用いる素材によっては、自重により沈むので、不要なものもあるが、バルサ材等の軽い素材でつくり、浮かぶ状態のものには、ルアー本体へ、重り（４）を埋め込んだり、ワイヤー状の重り（３）を巻いたりして、沈み方や、水中でのルアーの姿勢等を調節する。あるいは、浮かぶ状態のルアー（フローテイングタイプのルアー）にして、使用時に、ルアーの前後に、粘土重りや、ワイヤー状の重り等を取り付けて操作しても、ルアーは、同様な動きをする。小さなルアーなので、僅かな重りを付けることで可能である。【０００８】  図５及び図６は、外形を、渓流釣りのエサに使われる、昆虫の姿に模して、製作した例である。また、このルアーの下部に、フライフィッシングの、フライを巻く材料等で、昆虫の、足、エラ、尾、等を模したものを造り、取り付けることで、よりリアルなものも製作できる。【０００９】  ルアーは、針穴に、ラインを直接結びつけ使用するほか、ルアーフックのような針穴の大きなもので、ルアーを製作すれば、ルアーフィッシングで使用するスナップを使ったり図７で示すような、リング（６）を取り付けて、使用できるので、より滑らかで大きなアクションをさせることができる。
【図面の簡単な説明】
【００１０】
【図１】本発明のルアーを横から見た図
【図２】本発明のルアーを下方から見た図
【図３】本発明のルアーの上方から見た図
【図４】本発明のルアーを前方から見た図
【図５】本発明のルアーの外形を、昆虫に模した製作例
【図６】図５のルアーを下方から見た図
【図７】参考図、ルアーの針穴にリングを取り付け使用した例を示す
【符号の説明】
【００１１】１        釣り針
２        ルアー本体
３        重りＡ
４        重りＢ
５        ライン
６        リング
【図１】
2013252122.tif 000003
【図２】
2013252122.tif 000004
【図３】
2013252122.tif 000005
【図４】
2013252122.tif 000006
【図５】
2013252122.tif 000007
【図６】
2013252122.tif 000008
【図７】
2013252122.tif 000009
(57)【要約】【課題】空になった洗済ボトルにつめ替える際入れるのがむずかしかった。それを簡単に入れれる洗済取り替えよう具【解決手段】洗済、シャンプー取り替えの際アタッチメントをつけることによって簡単に洗済、シャンプー類を入れ替えることのできるアタッチメント。【特許請求の範囲】
【請求項１】
シャンプーの替え袋を挟み注ぎ口付ボトルに入れることによって自動的にシャンプーボトルに入れることができるシャンプー入れ替え用のアタッチメント。
【発明の詳細な説明】
【技術分野】
【０００１】本発明は洗済、シャンプーを空ボトルに入れるためのアタッチメントである。
【背景技術】
【０００２】従来ボトルの液がなくなるとつめ替え用のビニールに入った液をボトルに入れ替えていた。
【発明の概要】
【発明が解決しようとする課題】
【０００３】従来ビニール袋に入っていた液を手でしぼって入れていた。
その際手に洗済がついたりこぼれたりしていた。
本発明は以上の問題点を解決するためになされたものである。
【課題を解決するための手段】
【０００４】空になったボトルにスポッとかぶせその上に入れる液を入れるためのボトルを用意し入れる為のボトルにハサミでしぼり入れることによって空ボトルにスムーズに入れるように工夫した。以上の講成によりなるつめ替え用アタッチメント。
【発明の効果】
【０００５】従来取り替えの際よごれたりこぼれていた。
洗済を手を汚さずにスムーズに取り替えボトルに入れれるようになった。
本発明はシャンプー類も入れることができる。
【図面の簡単な説明】
【０００６】
【図１】本発明の斜視図
【図２】本発明の使用状態を示す斜視図
【発明を実施する為の形態】
【０００７】（イ）ボトル上部注ぎ口付き
（ロ）ボトルかぶせ部分
（ハ）調整棒
本発明は以上のような講造である。
【符号の説明】
【０００８】１、注ぎ口付きボトル上部
２、かぶせボトル
３、調整棒、足場
４、挟み具
【図１】
2013252897.tif 000002
【図２】
2013252897.tif 000003
(57)【要約】【課題】従来からダンボール製胴枠の分野においては、高い強度を持ったアメリカ製のトライウォールシートを使った胴枠が市場で独占的に使用される現状があり、価格が高いという問題が発生していた。【解決手段】この問題を解決するための手段として、国産ダンボールシートを使って胴枠の強度のかなめである、角部と胴部にダンボールを多層化して貼り合わせ、耐圧強度を大幅にアップさせることに成功した。これにより、安価で強度のある胴枠を作ることができた。【選択図】図１
2013252895.tif 000002
【特許請求の範囲】
【請求項１】
四角形をしたダンボール製胴枠において、角部の４か所と胴部の４か所に１枚または２枚のダンボールを貼り合わせ、多層化して強度を高めたことを特徴とするは多層ダンボール胴枠
【請求項２】
請求項１の胴枠において、胴部の上面に胴枠のフタとなるフラップ片が形成されてることを特徴とする多層ダンボール胴枠。
【発明の詳細な説明】
【技術分野】
【０００１】本考案はダンボール製の胴枠の分野に属する
【背景技術】
【０００２】従来から使用されているダンボール製の胴枠は強度の強いアメリカ製のダンボールシート（ＡＡまたは３Ａ）で作られたものが広く使用されている。
【発明の開示】
【発明が解決しようとする課題】
【０００３】これらのアメリカ製ダンボールシートは、日本製のダンボールシートに比べ、圧倒的に強度が高く、そのため輸出用梱包市場の胴枠をほぼ独占している。したがって価格も高価なものになっている。
【課題を解決するための手段】
【０００４】これに対し本案の胴枠は、国産ダンボールでの胴枠の要所要所にシートを複数枚貼り合わせ、多層化して補強し、全体として高強度の胴枠を作るものである。
【発明の効果】
【０００５】国産の胴枠１はアメリカ製のダンボールに比べて大変安価でありこの安いダンボールを使って構造的に強い胴枠を作れば、経済的に大きな効果が期待できる。
【発明を実施するための最良の形態】
【０００６】ダンボール製胴枠の強度のかなめである四か所の角部１Ａ（コーナー）をダンボールで３層に貼り合わせ、かつ胴部１Ｂも要所部分を２〜３枚貼り合わせ補強し、胴枠全体の耐圧強度を大幅に増強した。
【実施例１】
【０００７】使用する国産ダンボールシートは通常複両面ダンボールのＫ７−Ｗか若しくは複両面ダンボールＫ６−Ｗ強化芯を使用するのが望ましい。
【実施例２】
【０００８】胴枠１の外周囲部は前記ダンボールを横目（フルートの方向が水平になる）にして使用すると、シートが折れ難くなるので良い。そして胴枠１の強度のかなめである角部の補強板１Ａａは、横目の角部１Ａの内側に縦目（フルートの方向が垂直になる）の２層ダンボールを貼り合わせ、周囲部と合わせ３層構造になるように作る。
【実施例３】
【０００９】胴枠１の胴部の補強板１Ｂａも部分的に前記ダンボールを縦目にして１〜２枚貼り合わせて補強する。
【実施例４】
【００１０】３層の角部１Ａにつける折り目線２の付け方は、鉄製のアングル鋼材や丸棒で折り目線に沿って加圧して付ける。この時ダンボールに罫割れが発生しないよう、充分注意して加圧する。折り目線２は、１本で９０度曲げることができるので、２本つけて１８０度折り曲げ可能に作る。２本の折り目線の間隔は３０ｍｍ〜５０ｍｍくらいが良い。
【実施例５】
【００１１】角部１Ａと胴部１Ｂに付ける補強板は、胴枠の内側に限らず、外側につけても良い。補強板の大きさは、耐圧強度に直接影響するので、必要とされる耐圧強度に応じて、その幅を３００ｍｍ〜８００ｍｍくらいのものを調整して使用する。
【実施例６】
【００１２】胴枠１の胴部１Ｂの上面に、胴枠のフタ３となるフラップ部を付けることもできる。
【産業上の利用の可能性】
【００１３】本案胴枠１は、現在輸出梱包市場に置いて、ほぼ独占的に使用されている、トライウォール製胴枠に対し、これとほぼ同程度の耐圧強度を有し、かつ安価な胴枠を提供するものであり、今後この市場において広く使用されることが期待できる。
【図面の簡単な説明】
【００１４】
【図１】  胴枠全体の斜視図である
【図２】  図１を上から見た図である
【図３】  補強板を胴枠の外側に取りつけた場合の図である
【図４】  角部に付けた折り目の拡大図である
【図５】  胴枠に蓋を付けた場合の図である
【符号の説明】
【００１５】１      胴枠
１Ａ    角部
１Ａａ  角部の補強板
１Ｂ    胴部
１Ｂａ  胴部の補強板
２      折り目線
３      蓋
【図１】
2013252895.tif 000003
【図２】
2013252895.tif 000004
【図３】
2013252895.tif 000005
【図４】
2013252895.tif 000006
【図５】
2013252895.tif 000007
(57)【要約】【課題】現在、自動車の劣化を防ぐ手段として、車体をボディカバーで覆う方法があるが、ヘッドライト、テールライトだけを保護したい場合でも、自動車全体を覆うなど、より広い範囲のボディカバーで覆う必要があった。【解決手段】課題解決のために、主として自動車のヘッドライト、もしくはテールライトを覆う形状のカバーを使用する。形状には、ヘッドライト、もしくはテールライトを片側ずつ覆う形状（１）、左右両方のヘッドライト、もしくはテールライトを覆う形状がある。固定方法は、自動車の形状や素材に合わせて、磁石（２）、吸盤（３）、ゴム紐、フックを組み合わせて固定する。【選択図】図１
2013252841.tif 000002
【特許請求の範囲】
【請求項１】
主としてヘッドライト、もしくはテールライトを覆う、自動車用ボディカバー。
【発明の詳細な説明】
【技術分野】
【０００１】  本発明は、自動車のヘッドライトカバー、テールライトカバーに関するものである。
【背景技術】
【０００２】  従来、自動車ボディカバーには、自動車のボディ全体を覆う形があった、また、フロントガラス、ボディ上面を覆う形があった。
【先行技術文献】
【特許文献】
【０００３】  従来の自動車ボディカバーについては、自動車全体を覆う形、フロントガラスを覆う形、自動車の上面を覆う形がある。
【特許文献１】  特開平５−１３９１６３  自動車用ボディカバー装置
【特許文献２】  特開平９−２７７８３９  自動車用フロントガラスカバー
【特許文献３】  特開２０１１−１１７２８  磁石付自動車用カバー
【発明の概要】
【発明が解決しようとする課題】
【０００４】  従来、自動車の劣化を防ぐ手段として、車体をボディカバーで覆う方法があるが、ヘッドライト、テールライトだけを保護したい場合でも、自動車全体を覆うなど、より広い範囲のボディカバーで覆う必要があった。
しかし、目的以上の広い範囲を覆うボディカバーは、必要以上の材料を使用しており、同時に広い範囲を覆うためサイズも大きくなり、ボディーカバー着脱の労力も多くかかっていた。
本発明は、この課題を解決するためになされたものである。
【課題を解決するための手段】
【０００５】  （形状）
主として自動車のヘッドライト、もしくはテールライトを覆うカバーであり、形状は以下の２通りがある。
ヘッドライト、もしくはテールライトを片側ずつ覆う形状（１）。
左右両方のヘッドライト、もしくはテールライトを覆う形状（４）。【０００６】  （固定方法）
自動車への固定方法は、自動車の形状や素材に合わせて、磁石（２）、吸盤（３）、ゴム紐（５）、フック（６）を組み合わせて固定する。
鉄のボディには磁石（２）で固定する。ボディ、ヘッドライト、テールライト、バンパー、など平滑面には吸盤（３）で固定する。サイドミラーにはゴム紐（５）で固定する。ホイールアーチなどフックがかかかる部分にはフック（６）で固定する。
【発明の効果】
【０００７】  本発明により、ボディーカバーで覆う範囲を、主としてヘッドライト、もしくテールライトのみに特化することで、使用するボディカバーの材料を減らすことができる。
そして、覆う範囲を特化することで、ボディカバーが必要十分の大きさになり、自動車全体を覆うカバーよりサイズがコンパクトになり、かさばらず、装着が容易になる。
【図面の簡単な説明】
【０００８】
【図１】ヘッドライトを片側ずつ覆う形状のボディカバー
【図２】左右両方のヘッドライトを覆う形状のボディカバー
【符号の説明】
【０００９】  １  ヘッドライトを片側づつ覆う形状のボディカバー
２  固定用磁石
３  固定用吸盤
４  左右両方のヘッドライトを覆う形状のボディカバー
５  固定用ゴム紐
６  固定用フック
【図１】
2013252841.tif 000003
【図２】
2013252841.tif 000004
(57)【要約】      （修正有）【課題】熱吸収率・熱放射率を高くした塗料を自動車の金属屋根に塗布することにより自動車の車内で発生した高熱を車外に放出する。【解決手段】自動車の金属屋根４の両側に熱吸収率・熱放射率の良い素材１と塗料２を混入して造られた熱吸収率・熱放射率０．９と吸熱・放熱特性を高くした塗料３を塗布することにより、室内の高い温度は塗料３の熱吸収率の高さにより吸収され、短時間で金属屋根４に伝わり、その熱は塗料３の熱放射率の高さにより車外に放出される。また、金属屋根４の下部に塗られた塗料３と、防音材５の間に空隙部分を設け、更に、その部分にヒートシンクを取りつけて放熱特性を高めることが出来る。【選択図】図１
2013252848.tif 000002
【特許請求の範囲】
【請求項１】
熱吸収率・熱放射率の良い素材と塗料を混入し、その混入物を自動車の金属屋根の両面に塗ったことを特徴とする、自動車の屋根。
【請求項２】
熱吸収率・熱放射率の良い素材と塗料を混入し、その混入物を自動車の金属屋根の車内面に塗ったことを特徴とする、自動車の屋根。
【請求項３】
熱吸収率・熱放射率の良い素材と樹脂とを混入し、その混入物をシート化して自動車の金属屋根の両面に貼ったことを特徴とする、自動車の屋根。
【請求項４】
熱吸収率・熱放射率の良い素材と樹脂とを混入し、その混入物をシート化して自動車の金属屋根の車内面に貼ったことを特徴とする、自動車の屋根。
【請求項５】
熱吸収率・熱放射率の良い塗料又はシートを自動車の金属屋根の車内面に塗布又は貼るなどの処理をした場合に、その一部に空隙部分を設けたことを特徴とする、自動車の屋根。
【請求項６】
熱吸収率・熱放射率の良い塗料又はシートを自動車の金属屋根の車内面に塗布又は貼るなどの処理をした場合に、その一部に空隙部分を設け更にヒートシンクを取りつけたことを特徴とする、自動車の屋根。
【発明の詳細な説明】
【技術分野】
【０００１】  この発明は、夏季に自動車内部の温度が異常に上昇して発生する車内の異常温度によるトラブルを避けるために、自動車の屋根部分の吸熱・放熱特性を良くして、熱を車外に放出するためのものである。
【背景技術】
【０００２】  夏季において、自動車の車内温度は異常に上がる。特に直射日光の当たった場所が高温になりやすく、８０℃に達することもある。そのために、夏季の日中にエンジンを切り車内冷房の効かない状態で放置された車内に幼児や高齢者が長時間乗っていると、熱中症に罹ったり、死亡に至ることも考えられるため、高温になった車内の熱を自然に車外に放出する必要性が出てきている。
しかしながら、自動車のボディーは金属で造られているため、たとえ車内の温度が屋外の温度より高くなったとしても、金属の熱吸収率や熱放射率が非常に低いために、車内の温度を車外に放出することは出来なかった。
【先行技術文献】
【特許文献】
【特許文献】特開２００５−２３９１３３号公報
【発明の概要】
【発明が解決しようとする課題】
【０００３】  本発明は、自動車の車内で発生した高熱を車外に放出することを目的とするものである。
【課題を解決するための手段】
【０００４】  このような目的を達成する本発明は、自動車の金属屋根の両面に熱吸収率・熱放射率の良い素材を混入させた塗料を塗り、室内の異常な高温を吸収して、金属屋根を介して車外に放出するものである。
【発明の効果】
【０００５】  請求項１のように、自動車屋根の金属板の両面に、熱吸収率・熱放射率の良い窒化アルミニウムや炭化ケイ素、炭化アルミニウム（アルミナ）、カーボンなどの素材を混入した熱吸収・熱放射塗料を塗布し、その熱吸収効果により、車内の熱を吸収し、その熱は自動車の屋根の上面に伝えられて熱放射効果により温度は放出されることとなる。
ちなみに、本発明の効果を試験するために、４００ｍｍ×３００ｍｍ×８２ｍｍの密閉鉄箱を造り、その鉄箱の中に電球を入れて暖めた場合の、鉄箱内部の温度を測定する試験を行ったが、鉄箱に熱吸収・熱放射塗料を塗らなかった場合の温度は５２℃であった結果に比べ、熱吸収・熱放射率塗料を塗った場合の温度は３９℃となり、熱放出の大きな効果が見られた。
【図面の簡単な説明】
【０００６】
【図１】本発明に使用される塗料の構成図である。
【図２】本発明の断面図である。
【図３】本発明の一部分に空隙部を設けた断面図である。
【図４】本発明の一部分の空隙部にヒートシンクを取りつけた断面図である。
【発明を実施するための形態】
以下、本発明を実施するための最良の形態について、図面を参照して説明する。
【０００７】  熱吸収率・熱放射率の良い窒化アルミニウムや炭化ケイ素、炭化アルミニウム（アルミナ）、カーボン、などの素材（１）を塗料（２）に混入し、その混入物（３）を自動車の金属屋根（４）の両面に塗布する。本発明は、以上の様な方法で製造される。
【０００８】  熱伝導率の良い窒化アルミニウムや炭化ケイ素、炭化アルミニウム（アルミナ）、カーボン、などの素材（１）を混入して行う製造方法においては、塗料の他同様の性能を持つシートで行っても良い。
【０００９】  熱伝導率の良い窒化アルミニウムや炭化ケイ素、炭化アルミニウム（アルミナ）、カーボン、などの素材（１）を混入して行う製造方法において、その一部分に空隙部を設けることによって性能を高めることが出来る。
【００１０】  熱伝導率の良い窒化アルミニウムや炭化ケイ素、炭化アルミニウム（アルミナ）、カーボン、などの素材（１）を混入して行う製造方法において、その一部分に設けられた空隙部にヒートシンクを取りつけて放熱性能を高めることが出来る。
【符号の説明】
【００１１】１  熱吸収率・熱放射率の高い素材
２  塗料
３  熱吸収率・熱放射率の高い素材を混合させた塗料
４  自動車の金属屋根
５  自動車の金属屋根に貼られた防音材
６  自動車の屋根に設けられた空隙部分
７  自動車の屋根の空隙部分に取り付けたヒートシンク
【図１】
2013252848.tif 000003
【図２】
2013252848.tif 000004
【図３】
2013252848.tif 000005
【図４】
2013252848.tif 000006
(57)【要約】      （修正有）【課題】自転車運転時、背をもたれかけられる装置を提供する。【解決手段】自転車のサドル後部に後方に倒すと荷台となる背もたれを設ける。【選択図】図１
2013252843.tif 000002
【特許請求の範囲】
【請求項１】
現在の自転車のサドルに背もたれを付けた
【発明の詳細な説明】
【技術分野】
【０００１】従来の自転車にサドルの後に背もたれを付けることによって、背もたれに腰を掛けながら走行すると、休みながら自転車走行するのが楽になる。
【発明が解決しようとする課題】
自動車を持たない人々（年寄りや子供達）が少しでも楽に自転車に乗れる様に願ってます。
【課題を解決する為の手段】
疲れると自転車走行も、背もたれによって安全走行が確保される。
【発明の効果】
背もたれは、後方に倒すことにより荷台となり、一石二鳥となる。
【図１】
2013252843.tif 000003
【図２】
2013252843.tif 000004
【手続補正書】
【提出日】平成24年7月13日(2012.7.13)
【手続補正１】
【補正対象書類名】明細書
【補正対象項目名】全文
【補正方法】変更
【補正の内容】
【発明の詳細な説明】
【技術分野】
【０００１】  従来の自転車にサドルの後に背もたれを付けることによって、
背もたれに腰をけながら走行すると、休みながら自転車走行するのが楽になる。
【発明の概要】
【発明が解決しようとする課題】
【０００２】  自動車をもたない人々（年寄りや子供達）が少しでも楽に自転車に乗れるように願っている事。
【課題を解決する為の手段】
【０００３】  疲れると自転車走行も、背もたれによって安全走行が確保される。
【発明の効果】
【０００４】  背もたれに、もたれながらゆっくり楽しく自転車走行ができる。
【図面の簡単な説明】
【０００５】
【図１】〔自転車のサドル正面図と背もたれ正面図である〕背もたれはサドルから２０〜２５ｃｍ位である。
【図２】〔図２〕は自転車のサドルの側面図である。背もたれの側面図でもある。
【符号の説明】〔図１〕〔図２〕
（Ａ）は背もたれ
（Ｂ）は自転車のサドル
〔Ａ、Ｂ〕
自転車走行中背もたれに寄り掛かることによって、体が楽になる。
【手続補正２】
【補正対象書類名】図面
【補正対象項目名】全図
【補正方法】変更
【補正の内容】
【図１】
2013252843.tif 000005
【図２】
2013252843.tif 000006
(57)【要約】【課題】既製のタイヤをそのまま踏襲しながら、その内部に充填する普通の空気にある簡単な処理を施すのみで、タイヤの機能を向上させる手段を提供する。【解決手段】タイヤに空気を充填するにあたり、タイヤ１内に空気を圧送する空気導入管２の中途において、内部に多数の短尺パイプ体３が収納された中空容器４をその内部に空気が通り抜けるように接続して行う。【選択図】図１
2013252842.tif 000002
【特許請求の範囲】
【請求項１】
タイヤに空気を充填するにあたり、タイヤ内に空気を圧送する空気導入管の中途において、内部に多数の短尺パイプ体が収納された中空容器をその内部に空気が通り抜けるように接続することを特徴とするタイヤ機能向上方法。
【請求項２】
短尺パイプ体がセラミックスより成る短尺パイプ体である請求項１記載のタイヤ機能向上方法。
【発明の詳細な説明】
【技術分野】
【０００１】この発明は、既製のタイヤにおいてその機能を向上させる方法に関する。
【背景技術】
【０００２】道路等を走行する自動車や自転車等の接地箇所においては、いずれもタイヤが用いられているのは周知の通りである。そこで車両全体の機能向上のためにタイヤの機能向上をはかることは不可欠であることから、従来よりタイヤの材質や溝、及びバルブなどに様々な工夫や改良がなされてきた。また内部に充填する空気に替えて窒素などを充填する試みもなされたが、タイヤ全体の機能を向上させる以上に余計な手間とコストがかかり、同じ空気を充填に用いる場合は改善の余地があり得ないとされているのが現状である。
【発明の開示】
【発明が解決しようとする課題】
【０００３】本発明はかかる現状を打破し、既製のタイヤをそのまま踏襲しながら、その内部に充填する普通の空気にある簡単な処理を施すのみでタイヤの機能を向上させ、ひいては車両そのものの性能向上につながる方法を提供することを課題とする。
【課題を解決するための手段】
【０００４】タイヤに空気を充填するにあたり、タイヤ１内に空気を圧送する空気導入管２の中途において、内部に多数の短尺パイプ体３が収納された中空容器４をその内部に空気が通り抜けるように接続する。従ってその空気導入管２（ホース）の先端は、在来通りタイヤ１のバルブ５に接続されることになる。【０００５】ここでいう短尺パイプ体３とは，中空容器４内に多数収納するに適した寸法となるものであり，ここでいう「多数」とは、常識的に３個以上、好ましくは１０個以上であるが、必要以上に多くすることは、コスト面や扱いの困難度などから逆に好ましくない。また「短尺」の意味も、パイプの外径と長さの比率が常識的に５：１〜１：１０、好ましくは１：１〜１：２程度となる。【０００６】短尺パイプ体３は、図面に例示したような円筒体が好ましいが、必ずしもこれに限るものではなく、楕円筒体、角筒体、その他適宜デフォルメされたようなものであっても良い。【０００７】短尺パイプ体３の材質は耐久性や化学的安定性の優れたものが選ばれるが、特に結果の良好なものはセラミックスであった。【０００８】なお、タイヤの大きさに応じて充填する空気量も異なるから、使用する中空容器４の大きさや収納される短尺パイプ３の数もそれに応じた程度のものとなる。代表的な乗用車のタイヤに空気充填するケースでは、中空容器４は、円筒形として内径１０ｃｍ、長さ６０ｃｍ程度とし、その中に外径１０ｍｍ、長さ１６ｍｍ程度の短尺パイプ体３をほぼ満杯に収納するようなものが適している。
【発明の効果】
【０００９】本発明により圧送された空気の通り道に多数の短尺パイプ体３を強制的に介在させると、そこを通り抜けた空気が充填されたタイヤは、次に述べるような驚くべき効果を生じることが判明した。【００１０】すなわちモニターテストによれば、ただの空気を同様に充填した場合と比べて、▲１▼ハンドルが軽い。▲２▼振動が少ない。▲３▼滑りにくい。▲４▼ブレーキの効きが良い。▲５▼タイヤの減りが遅い。▲６▼燃費の改善。▲７▼スタンディングウェーブの防止。▲８▼乗り心地の向上等の効果が短なる偶然でなく、再現性をもって何度も確認された。【００１１】これの学術的根拠の完全解明は今後の学術的研究課題ではあるものの本願の目的とするところではないが、一応、次のような仮説も考えられる。すなわち空気分子が多くの短尺パイプ体３の間を通り抜けると、それらがランダムに撹拌されて偏りのない理想的な弾性体としての空気分子の集まり、すなわちボイルの法則でいうところの「理想気体」に近いものとなり、これがタイヤ内に収まると、熱ロスが少なくボイルの法則のみに従う理想的な弾性体に近いタイヤになるものと推察される。事実、前述のようにモニターにおいてはすこぶる好評であり、走行後のタイヤの温度上昇が著しく抑制されたなどの客観的事実も確認されている。
【発明を実施するための最良の形態】
【００１２】直径約１０ｃｍ、長さ約６０ｃｍの円筒形中空容器４の内部に、外径１０ｍｍ、内径６ｍｍ、長さ１６ｍｍの磁器より成る円筒形短尺パイプ体３を満杯に収め、該容器４の片端はコンプレッサー６に繋がる空気導入管２のみに解放されるとともに、該容器４の他側端はタイヤ１のバルブ５に繋がる別の空気導入管２のみに解放されるようにし、これを図１のように配置してタイヤに空気を充填する。【００１３】なお車両の大きさ等により適宜、中空容器４の容量や短尺パイプ体２の数も変えるものとし、またコンプレッサーを要しない自転車のような場合も、同様に小型のものを取り付けて行う。
【産業上の利用可能性】
【００１４】本発明のタイヤ機能向上方法は、実施に多大な負担やコストがかからず、その割に効果が大で、必要な装置も量産に適しているから、産業上の利用可能性は十分にある。
【図面の簡単な説明】
【００１５】
【図１】本発明の実施状態を示す見取図
【図２】本発明に用いられる中空容器の内部を示す断面見取図
【符号の説明】
【００１６】１……タイヤ
２……空気導入管
３……短尺パイプ体
４……中空容器
５……バルブ
６……コンプレッサー
【図１】
2013252842.tif 000003
【図２】
2013252842.tif 000004
(57)【要約】【課題】体の一部に巻き付けて使用するネックレス、ブレスレット、アンクレット、指輪等の装身具において、金属や貴金属の線かチェーンをフッ素樹脂やシリコン樹脂のチューブに入れて装身具を作成することによって、原材料の使用率を可能な限り低減し、安価で十分な強度もあり、金属アレルギーの心配も不要な装身具を提供する。【解決手段】金属や貴金属の線、あるいはチェーンを透明か半透明のフッ素樹脂やシリコン樹脂に入れてなる、体の一部に巻き付けてなる装身具。【選択図】図１
2013252341.tif 000002
【特許請求の範囲】
【請求項１】
金属や貴金属の線、あるいはチェーンを透明か半透明のフッ素樹脂やシリコン樹脂に入れてなる、体の一部に巻き付けてなる装身具。
【請求項２】
金属や貴金属の線、あるいはチェーンを透明か半透明で色の付いたフッ素樹脂やシリコン樹脂に入れてなる、体の一部に巻き付けてなる請求項１に記載の装身具。
【請求項３】
金属や貴金属の線、あるいはチェーンを短く切断し、複数の部品を透明か半透明のフッ素樹脂やシリコン樹脂に入れてなる、体の一部に巻き付けてなる請求項１に記載の装身具。
【発明の詳細な説明】
【技術分野】
【０００１】
この発明は体の一部に巻き付けて使用するネックレス、ブレスレット、アンクレット、指輪等の装身具において、原材料の使用率を可能な限り低減し、安価で十分な強度もあり、金属アレルギーの心配も不要な装身具に関するものである。
【背景技術】
【０００２】
体の一部に巻き付けて使用する装身具は、金属で作成された部品を多数連結して成っている。
【０００３】
そのため、ある程度の強度を必要とすると、部品の原材料の使用量が多くなり、原材料価格の高い装身具となっていた。
【０００４】
しかし、原材料価格の高い装身具は末端市場に受け入れられる可能性の低いものとなっていて、いかに原材料使用率を抑え、強度のあるものを市場に供給することができるかが、装身具業界の課題となっている。
【先行技術文献】
【特許文献】
【０００５】
【特許文献１】登録実用新案３０６１５３３
【発明の概要】
【発明が解決しようとする課題】
【０００６】
この発明は前述した問題点を解決するものであり、体の一部に巻きつけて使用するネックレス、ブレスレット、アンクレット、指輪等の装身具において、原材料の使用率を限りなく低減し、安価で十分な強度も得られ、金属アレルギーの心配も不要な装身具を提供しようとするものである。
【課題を解決するための手段】
【０００７】
以上の課題を解決するため、この発明は細い金属線もしくは細いチェーンを透明な樹脂チューブに通して、装身具とする。
【０００８】
この発明は透明もしくは半透明か、多少の色が付けられた半透明の樹脂チューブの中に、金属製のワイヤーやチェーンを通し、留め具を付け、デザインされた飾りを付けて、安価な装身具を提供する。
【０００９】
この発明は透明もしくは半透明か、多少の色が付けられた半透明の樹脂チューブの中に、金属製のワイヤーやチェーンを通し、留め具を付け、デザインされた飾りを付けて、樹脂チューブの強度とワイヤーの強度とで成る高強度な装身具を提供する。
【００１０】
この発明は透明もしくは半透明か、多少の色が付けられた半透明の樹脂チューブの中に、金属製のワイヤーやチェーンを通し、留め具を付け、デザインされた飾りを付けて、金属アレルギーの心配のない装身具を提供する。
【発明の効果】
【００１１】
この発明によれば、樹脂製のチューブの中に金属製の線やチェーンを入れることによって、原材料使用を製造可能な限界まで低減させ、高強度で、金属アレルギーの心配のない装身具を提供することが可能となった。
【図面の簡単な説明】
【００１２】
【図１】透明もしくは半透明か、多少の色が付けられた半透明の樹脂チューブの中に、金属製のワイヤーやチェーンを通し、留め具を付け、デザインされた飾りを付けて、金属アレルギーの心配のない装身具の説明図である。（実施例１）
【発明を実施するための形態】
【００１３】
この発明に使用される樹脂チューブは、透明もしくは半透明のフッ素樹脂やシリコン樹脂などを使用し、樹脂チューブの中には貴金属や金属でできた線やチェーンを入れ、留め具やデザイン飾りを付けることによって作られる。
【００１４】
フッ素樹脂やシリコン樹脂は医療用としても広範囲に使用されていて、その安全性は極めて高いことが知られている。
【００１５】
また、フッ素樹脂やシリコン樹脂は、薬品などにも強く、人体の分泌物で変性することはない。
【００１６】
そして、フッ素樹脂やシリコン樹脂は貴金属や金属でできた線やチェーンと比べると、非常に安価であることが知られている。
【００１７】
さらに、フッ素樹脂やシリコン樹脂は、人体がアレルギーを引き起こすことはない。
［実施例１］
貴金属製の０．２mmの線を使用し、フッ素樹脂のチューブの中に入れてネックレススの製造をし、さまざまなテストを行った。
【００１８】
貴金属製の０．２mmの線を切断し、フッ素樹脂のチューブに通した後、線の両端を円形に加工し、留め具と留め板を接続してデザイン飾りも装着して、図１のような４０cmの長さのネックレスを製造した。
【００１９】
実施例１のネックレスに使用した貴金属材料は、一般的なネックレスと比較して重量が３０％ほどであった。
【００２０】
実施例１のネックレスの強度調べるため、引張強度測定器にネックレスの両端を引っかけ、引張強度の測定をしたところ、切断にかかる圧力は５ｋｇｆで、一般的なネックレスの約２倍の強度があった。
【００２１】
実施例１のネックレスの人体への評価を得るため、金属アレルギーの既往症があって、ネックレスを着けられない被験者に、約１０時間の装着をしたが、かゆみや発疹などのアレルギー反応は皆無だった。
【産業上の利用可能性】
【００２２】
この発明の、体の一部に巻き付けて使用するネックレス、ブレスレット、アンクレット、指輪等の装身具は、原材料の使用率を可能な限り低減し、安価で十分な強度もあり、金属アレルギーの心配も不要な装身具を市場に提供できるものである。
【符号の説明】
【００２３】
１  留め具
２  留め板
３  チューブ
４  金属線、金属チェーン
５  飾りデザイン品
【図１】
2013252341.tif 000003